(57)【特許請求の範囲】
【請求項１】
複数の信号入力部と、
前記複数の信号入力部からの映像信号の処理を行う複数の副制御部と、
表示部に表示する表示画面を生成する制御部と、を備え、
前記制御部は、予め有していた表示情報に基づき前記副制御部から前記映像信号のタイミング情報を得て、
同じ信号入力部の情報を有する表示画面が２以上ある場合には、
前記同じ信号入力部の情報を有する表示画面のうち一の表示画面に対応する前記タイミング情報を第１の画面情報保持エリアに保存し、
前記同じ信号入力部の情報を有する表示画面のうち他の表示画面に対応する画面情報保持エリアには、前記第１の画面情報保持エリアに保存した前記タイミング情報をコピーする、
画像表示装置。
【請求項２】
複数の信号入力部と、
前記複数の信号入力部からの映像信号の処理を行う複数の副制御部と、
表示部に表示する表示画面を生成する制御部と、を備え、
前記制御部は、
前記表示画面に対応する前記信号入力部の情報と、前記信号入力部に対応する前記副制御部の情報を含む表示情報を予め有しており、前記表示情報に基づいて、複数の前記副制御部から前記表示部に表示する前記表示画面に対応する前記副制御部を選択し、選択した前記副制御部から前記映像信号のタイミング情報を得る
画像表示装置。
【請求項３】
前記制御部は、
表示画面数と、前記表示画面数に応じた数の前記表示画面の情報と、前記表示画面に対応する前記信号入力部の情報と、前記信号入力部に対応する前記副制御部の情報を含む表示情報を予め有しており、前記表示情報に基づいて、前記表示部に表示する前記表示画面に対応する前記信号入力部を複数の前記信号入力部から選択し、選択した前記信号入力部に対応する前記副制御部を複数の前記副制御部の中から選択し、選択した前記副制御部から映像信号のタイミング情報を得る
請求項２に記載の画像表示装置。
【請求項４】
前記制御部は、
前記表示画面数が、２以上である場合、
前記表示情報に基づいて選択した２以上の前記表示画面に対応する複数の前記信号入力部の情報が、全て同一の前記信号入力部を示している場合、前記表示情報に基づいて、当該同一の前記信号入力部に対応する１つ前記副制御部を選択し、選択した１つの前記副制御部から前記映像信号のタイミング情報を得る
請求項３に記載の画像表示装置。
【請求項５】
前記表示画面ごとに、前記タイミング情報を保持する画面情報保持エリアをさらに有する、請求項２から４いずれか１項に記載の画像表示装置。
【請求項６】
前記制御部は、
前記副制御部から前記映像信号のタイミング情報を得る前に、前記副制御部に対して、前記信号入力部に前記映像信号が入力されているか否かを通知させる、信号有無情報取得通知を出す、請求項１から請求項５いずれか一項に記載の画像表示装置。
【請求項７】
前記表示情報は外部から書き換え可能である、
請求項１から請求項６いずれか一項に記載の画像表示装置。
【請求項８】
前記タイミング情報には、少なくとも、インターレースか否かを示すシグナルステータス、垂直および水平周波数、垂直および水平信号の極性、垂直位置、水平位置、カラーフォーマット若しくはビデオフォーマットを含む、
請求項１から請求項７いずれか一項に記載の画像表示装置。
【請求項９】
前記カラーフォーマットには、少なくとも、NTSC 3.85MHz、PAL、SECAM、NTSC 4.43MHz、PAL-M、PAL-N若しくはPAL-60Hzを含む、
請求項８に記載の画像表示装置。
【請求項１０】
前記ビデオフォーマットには、少なくとも480i、576i、480P、576P、720P、1080i若しくは1080Pを含む、請求項８に記載の画像表示装置。
【請求項１１】
複数の信号入力部と、前記複数の信号入力部からの映像信号の処理を行う複数の副制御部と、表示部に表示する表示画面を生成する制御部とを備えた画像表示装置の画像処理方法であって、
前記制御部が、予め記録された表示情報に基づき前記副制御部から前記映像信号のタイミング情報を得て、同じ信号入力部の情報を有する表示画面が２以上ある場合には、前記同じ信号入力部の情報を有する表示画面のうち一の表示画面に対応する前記タイミング情報を第１の画面情報保持エリアに保存し、前記同じ信号入力部の情報を有する表示画面のうち他の表示画面に対応する画面情報保持エリアには、前記第１の画面情報保持エリアに保存した前記タイミング情報をコピーする工程を含む、
画像表示装置の画像処理方法。
【請求項１２】
複数の信号入力部と、前記複数の信号入力部からの映像信号の処理を行う複数の副制御部と、表示部に表示する表示画面を生成する制御部とを備えた画像表示装置の画像処理方法であって、
前記制御部が、前記表示画面に対応する前記信号入力部の情報と、前記信号入力部に対応する前記副制御部の情報を含む表示情報を予め有しており、前記表示情報に基づいて、複数の前記副制御部から前記表示部に表示する前記表示画面に対応する前記副制御部を選択し、選択した前記副制御部から前記映像信号のタイミング情報を得る工程を含む、
画像表示装置の画像処理方法。
【請求項１３】
前記表示画面ごとに設けられた画面情報保持エリアに、前記タイミング情報を保存する工程を有する、請求項１２に記載の画像表示装置の画像処理方法。
【発明の詳細な説明】
【技術分野】
【０００１】
本発明は、画像表示装置、画像処理方法に関する。
【背景技術】
【０００２】
画像表示装置では、多機能化機能（例えば入力信号数の増加）により、使用するマイクロコントローラ（以下、マイコンと称する）の数やデバイス数が増大する傾向にある。すなわち、画像表示装置には、全体の画像処理に係るメインマイコン（主制御部）の他に、入力映像信号を処理するサブマイコン（副制御部）が配設されている。また、画像表示装置には、信号選択処理や信号フォーマットの変換を行うデバイスが配設されている。これらのサブマイコンやデバイスの数は、入力信号の数が増加するに従って増大していく。【０００３】
図１３は、関連する画像表示装置の一例のブロック図である。この画像表示装置１０１には、１つのメインマイコン１１１と、２つのサブマイコン１１２ａ及び１１２ｂと、２つのデバイス１１３ａ及び１１３ｂとが設けられている。また、画像表示装置１０１には、６つの信号入力コネクタ１２１ａ〜１２１ｆと、１つの外部通信コネクタ１２２とが配設されている。このように、この画像表示装置１０１では、信号入力コネクタ数が「６」、デバイス数が「２」であり、マイコン数が「３」である。これに対して、信号入力コネクタ数が「１０」のモデルでは、デバイス数が「３」となり、マイコン数が「６」となっており、入力信号数の増加とともに、マイコン数やデバイス数が増加している。【０００４】
また、特許文献１には、複数の入力端子を有する画像表示装置において、画像信号の有無を判別し、入力端子の入力信号有無判別結果に基づいて入力端子の切り替えを行うものが記載されている。
【先行技術文献】
【特許文献】
【０００５】
【特許文献１】特開２０１１−１８０３３１号公報
【発明の概要】
【発明が解決しようとする課題】
【０００６】
上述のように、画像表示装置では、多機能化により、使用するマイコン数やデバイス数が増大する。ところが、マイコン（制御部）やデバイスの数が増えることにより、単位時間当たりの通信回数が増大し、そのため、システム全体の処理時間が増加する。また、マイコン数やデバイス数が増加すると、これらのマイコンやデバイスで相互に情報の授受を行うために多くの時間を要する。このため、単位時間当たりの情報の授受回数が増し、システム全体の処理時間が増加する。【０００７】
上述の課題を鑑み、本発明は、マイコンなどの制御部の数が増加しても、起動処理時間を短縮できるとともに、マイコン間や、マイコンとデバイス間の通信処理（情報の授受）にかかる時間を削減できるようにした画像表示装置および画像処理方法を提供することを目的とする。
【課題を解決するための手段】
【０００８】
上述の課題を解決するために、本発明の一態様に係る画像表示装置は、複数の信号入力部と、前記複数の信号入力部からの映像信号の処理を行う複数の副制御部と、表示部に表示する表示画面を生成する制御部と、を備え、前記制御部は、予め有していた表示情報に基づき前記副制御部から前記映像信号のタイミング情報を得て、同じ信号入力部の情報を有する表示画面が２以上ある場合には、前記同じ信号入力部の情報を有する表示画面のうち一の表示画面に対応する前記タイミング情報を第１の画面情報保持エリアに保存し、前記同じ信号入力部の情報を有する表示画面のうち他の表示画面に対応する画面情報保持エリアには、前記第１の画面情報保持エリアに保存した前記タイミング情報をコピーする。
また、本発明の一態様に係る画像表示装置は、複数の信号入力部と、前記複数の信号入力部からの映像信号の処理を行う複数の副制御部と、表示部に表示する表示画面を生成する制御部と、を備え、前記制御部は、前記表示画面に対応する前記信号入力部の情報と、前記信号入力部に対応する前記副制御部の情報を含む表示情報を予め有しており、前記表示情報に基づいて、複数の前記副制御部から前記表示部に表示する前記表示画面に対応する前記副制御部を選択し、選択した前記副制御部から前記映像信号のタイミング情報を得る。
【０００９】
本発明の一態様に係る画像処理方法は、複数の信号入力部と、前記複数の信号入力部からの映像信号の処理を行う複数の副制御部と、表示部に表示する表示画面を生成する制御部とを備えた画像表示装置の画像処理方法であって、前記制御部が、予め記録された表示情報に基づき前記副制御部から前記映像信号のタイミング情報を得て、同じ信号入力部の情報を有する表示画面が２以上ある場合には、前記同じ信号入力部の情報を有する表示画面のうち一の表示画面に対応する前記タイミング情報を第１の画面情報保持エリアに保存し、前記同じ信号入力部の情報を有する表示画面のうち他の表示画面に対応する画面情報保持エリアには、前記第１の画面情報保持エリアに保存した前記タイミング情報をコピーする工程を含む。
また、本発明の一態様に係る画像処理方法は、複数の信号入力部と、前記複数の信号入力部からの映像信号の処理を行う複数の副制御部と、表示部に表示する表示画面を生成する制御部とを備えた画像表示装置の画像処理方法であって、前記制御部が、前記表示画面に対応する前記信号入力部の情報と、前記信号入力部に対応する前記副制御部の情報を含む表示情報を予め有しており、前記表示情報に基づいて、複数の前記副制御部から前記表示部に表示する前記表示画面に対応する前記副制御部を選択し、選択した前記副制御部から前記映像信号のタイミング情報を得る工程を含む。
【発明の効果】
【００１０】
本発明によれば、マイコン数が増加しても、起動処理時間を短縮できるとともに、マイコン間や、マイコンとデバイス間の通信処理（情報の授受）にかかる時間を削減できる。
【図面の簡単な説明】
【００１１】
【図１】本発明の第１の実施形態に係る画像表示装置の構成を示すブロック図である。
【図２Ａ】表示部の表示画面の説明図である。
【図２Ｂ】表示部の表示画面の説明図である。
【図２Ｃ】表示部の表示画面の説明図である。
【図２Ｄ】表示部の表示画面の説明図である。
【図３】メインマイコンの概略構成を示すブロック図である。
【図４】本発明の第１の実施形態に係る画像表示装置での各マイコン及びデバイスの起動処理を示すシーケンス図である。
【図５】本発明の第１の実施形態に係る画像表示装置における映像情報の取得処理を示すフローチャートである。
【図６】本発明の第１の実施形態に係る画像表示装置におけるマイコン通信処理を示すシーケンス図である。
【図７】本発明の第１の実施形態に係る画像表示装置における映像表示処理のフローチャートである。
【図８Ａ】表示情報の一例の説明図である。
【図８Ｂ】表示情報の一例の説明図である。
【図９】メインマイコンの処理の一例の説明図である。
【図１０Ａ】表示情報の他の例の説明図である。
【図１０Ｂ】表示情報の他の例の説明図である。
【図１１】メインマイコンの処理の他の例の説明図である。
【図１２】本発明による画像表示装置の基本構成を示す概略ブロック図である。
【図１３】関連する画像表示装置の一例のブロック図である。
【発明を実施するための形態】
【００１２】
以下、本発明の実施の形態について図面を参照しながら説明する。図１は、本発明の第１の実施形態に係る画像表示装置１の構成を示すブロック図である。図１に示すように、本実施形態に係る画像表示装置１は、メインマイコン１１（制御部）と、サブマイコン１２ａ〜１２ｅ（副制御部）と、デバイス１３ａ〜１３ｃとを備えている。また、画像表示装置１には、信号入力コネクタ２１ａ〜２１ｊ（信号入力部）と、外部通信コネクタ２２ａ及び２２ｂとが配設されている。信号入力コネクタは、例えば、ＨＤＭＩ（登録商標）、Ｄｉｓｐｌａｙｐｏｒｔ、ＶＧＡ、ＤＶＩ、ＶＩＤＥＯ、ＵＳＢ、ＬＡＮ、ＰＣなどである。
【００１３】
メインマイコン１１は、画像表示装置１の主制御部として機能する。メインマイコン１１は、サブマイコン１２ａ〜１２ｅと通信（情報の授受）を行うとともに、デバイス１３ｂとも通信（情報の授受）を行う。メインマイコン１１は、これらの通信により、サブマイコン１２ａ〜１２ｅ及びデバイス１３ｂから必要な情報を取得する。そして、メインマイコン１１は、これらの情報に応じた処理を行い、表示部１４に映像を表示する。
【００１４】
サブマイコン１２ａ〜１２ｅは、画像表示装置１の副制御部として機能する。サブマイコン１２ａは、信号入力コネクタ２１ａ〜２１ｃからの映像信号、及びデバイス１３ａで選択された信号入力コネクタ２１ｄ又は２１ｅからの映像信号の受信処理を行っている。信号入力コネクタ２１ａ〜２１ｃに映像信号が入力されると、サブマイコン１２ａは、信号入力コネクタ２１ａ〜２１ｃからの映像信号の計測処理を行い、信号入力コネクタ２１ａ〜２１ｃからの映像信号のタイミング情報を取得する。映像信号のタイミング情報とは、シグナルステータス（SignalStatus；インターレースか否か、RGBかYUVか）、垂直および水平周波数、垂直および水平信号の極性、垂直位置、水平位置、カラーフォーマット、ビデオフォーマットなどである。カラーフォーマットには、少なくとも、NTSC 3.85MHz、PAL、SECAM、NTSC 4.43MHz、PAL-M、PAL-N、PAL-60Hzのいずれか１つを含む。もちろん、これらのうちの複数を含んでいても良い。ビデオフォーマットには、少なくとも480i、576i、480P、576P、720P、1080i、1080Pのいずれか１つを含む。もちろん、これらのうちの複数を含んでいても良い。また、信号入力コネクタ２１ｄ又は２１ｅに映像信号が入力されると、サブマイコン１２ａは、デバイス１３ａで選択された信号入力コネクタ２１ｄ又は２１ｅからの映像信号の計測処理を行い、信号入力コネクタ２１ｄ又は２１ｅからの映像信号のタイミング情報を取得する。そして、サブマイコン１２ａは、信号入力コネクタ２１ａ〜２１ｃからの映像信号のタイミング情報、並びに、信号入力コネクタ２１ｄ又は２１ｅからの映像信号のタイミング情報をメインマイコン１１に送出する。また、サブマイコン１２ａは、サブマイコン１２ｂとの通信（情報のやり取り）も行っている。
【００１５】
サブマイコン１２ｂは、信号入力コネクタ２１ｆからの映像信号の処理を行っている。信号入力コネクタ２１ｆに映像信号が入力されると、サブマイコン１２ｂは、信号入力コネクタ２１ｆからの映像信号の計測処理を行い、信号入力コネクタ２１ｆからの映像信号のタイミング情報を取得する。そして、サブマイコン１２ｂは、信号入力コネクタ２１ｆからの映像信号のタイミング情報をメインマイコン１１に送出する。また、サブマイコン１２ｂは、サブマイコン１２ａ及びサブマイコン１２ｃと通信（情報のやり取り）を行っている。そして、サブマイコン１２ｂは、信号入力コネクタ２１ｆからの映像信号の受信処理とともに、経路選択処理を行っている。
【００１６】
サブマイコン１２ｃは、信号入力コネクタ２１ｇ〜２１ｉからの映像信号の受信処理を行っている。信号入力コネクタ２１ｇ〜２１ｉに映像信号が入力されると、サブマイコン１２ｃは、信号入力コネクタ２１ｇ〜２１ｉからの映像信号の計測処理を行い、信号入力コネクタ２１ｇ〜２１ｉからの映像信号のタイミング情報を取得する。そして、サブマイコン１２ｃは、信号入力コネクタ２１ｇ〜２１ｉからの映像信号のタイミング情報をメインマイコン１１に送出する。また、サブマイコン１２ｃは、サブマイコン１２ｂと通信（情報のやり取り）を行っている。また、サブマイコン１２ｃは、デバイス１３ｃと通信（情報のやり取り）を行っている。そして、サブマイコン１２ｃは、信号入力コネクタ２１ｇ〜２１ｉからの映像信号の受信処理とともに、経路選択処理を行っている。
【００１７】
サブマイコン１２ｄは、信号入力コネクタ２１ｊからの映像信号の受信処理を行っている。信号入力コネクタ２１ｊに映像信号が入力されると、サブマイコン１２ｄは、信号入力コネクタ２１ｊからの映像信号の計測処理を行い、信号入力コネクタ２１ｊからの映像信号のタイミング情報を取得する。そして、サブマイコン１２ｄは、信号入力コネクタ２１ｊからの映像信号のタイミング情報をメインマイコン１１に送出する。また、サブマイコン１２ｄはサブマイコン１２ｅと通信（情報のやり取り）を行っている。また、サブマイコン１２ｄはデバイス１３ｃと通信（情報のやり取り）を行っている。
【００１８】
サブマイコン１２ｅは、外部通信コネクタ２２ａからのデータ処理を行っている。外部通信コネクタ２２ａにデータが入力されると、サブマイコン１２ｅは、外部通信コネクタ２２ａからのデータ入力処理を行う。そして、サブマイコン１２ｅは、外部通信コネクタ２２ａからのデータをメインマイコン１１に送出する。また、サブマイコン１２ｅはサブマイコン１２ｄと通信（情報のやり取り）を行っている。
【００１９】
デバイス１３ａは、信号入力コネクタ２１ｄからの入力映像信号と、信号入力コネクタ２１ｅからの入力映像信号との信号選択処理を行い、選択された映像信号をサブマイコン１２ａに送出する。
【００２０】
デバイス１３ｂは、外部通信コネクタ２２ｂからのデータの受信処理を行い、入力されたデータをメインマイコン１１に送出する。
【００２１】
デバイス１３ｃは、サブマイコン１２ｃ又はサブマイコン１２ｄからの映像信号のフォーマット変換処理を行う。
【００２２】
このように、本発明の第１の実施形態に係る画像表示装置１は、複数の信号入力コネクタ２１ａ〜２１ｊを備えており、表示部１４には、複数の画面をＰｉｎＰ（Picture in Picture）やＰｂｙＰ（Picture by Picture）などにより同時に表示できる。図２Ａ〜Ｄは、表示部１４の表示画面を示している。図２Ａは、表示部１４の全体に、１つの表示画面Ｇ１を表示した例である。図２Ｂは、表示部１４に、２つの表示画面Ｇ１及びＧ２をＰｉｎＰで表示した例である。図２Ｃは、表示部１４に、３つの表示画面Ｇ１、Ｇ２、及びＧ３をＰｉｎＰで表示した例である。図２Ｄは、表示部１４に、４つの表示画面Ｇ１、Ｇ２、Ｇ３、及びＧ４をＰｂｙＰで表示した例である。
【００２３】
このような単一画面の表示、または、ＰｉｎＰまたは／およびＰｂｙＰ表示（複数画面の同時表示）を実現するために、本発明の第１の実施形態に係る画像表示装置１では、メインマイコン１１に、例えば４つの画面情報保持エリアが設けられている。
【００２４】
図３は、メインマイコン１１の概略構成を示すブロック図である。図３に示すように、メインマイコン１１のメモリ３０には、例えば４つの画面情報保持エリア３１ａ、３１ｂ、３１ｃ、３１ｄが設けられる。画面情報保持エリア３１ａには、図２Ａ〜Ｄにおける表示画面Ｇ１に表示する映像信号のタイミング情報が蓄積される。画面情報保持エリア３１ｂには、図２Ａ〜Ｄにおける表示画面Ｇ２に表示する映像信号のタイミング情報が蓄積される。画面情報保持エリア３１ｃには、図２Ａ〜Ｄにおける表示画面Ｇ３に表示する映像信号のタイミング情報が蓄積される。画面情報保持エリア３１ｄには、図２Ａ〜Ｄにおける表示画面Ｇ４に表示する映像信号のタイミング情報が蓄積される。
【００２５】
また、本発明の第１の実施形態に係る画像表示装置１では、メインマイコン１１には、表示情報取得部３２が設けられる。表示情報取得部３２には、表示情報として、少なくとも、表示画面数と、各表示画面に対応する信号入力コネクタの情報が記憶されている。さらに、表示情報として、該信号入力コネクタとその信号入力コネクタの映像の受信処理を行うサブマイコンとの対応情報を含んでもよい。ここで、信号入力コネクタの情報とは、表示画面がどのコネクタからの入力信号を表示するのかという情報、つまり、表示画面とそれに対応するコネクタの情報である。また、表示情報は、ＯＳＤ（On Screen Display）メニューから使用者が設定できるようになっている。
【００２６】
次に、本発明の第１の実施形態に係る画像表示装置１での画像表示処理について説明する。図４は、本発明の第１の実施形態に係る画像表示装置１での各マイコン及びデバイスの起動処理を示すシーケンス図である。
【００２７】
画像表示装置１の電源を入れると、メインマイコン１１が起動する。そして、図４において、メインマイコン１１が起動（電源がオン）すると（ステップＳ１）、メインマイコン１１は、サブマイコン１２ａに起動命令を送出する（ステップＳ２）。ここで、ステップＳ２は、画像表示装置１の電源が入ったときに実行される他に、画像表示装置１を初期状態に戻した後（リセット後）に実行されてもよい。次に、メインマイコン１１は、サブマイコン１２ｂに起動命令を送出する（ステップＳ３）。メインマイコン１１は、サブマイコン１２ｃに起動命令を送出する（ステップＳ４）。メインマイコン１１は、サブマイコン１２ｄに起動命令を送出する（ステップＳ５）。メインマイコン１１は、サブマイコン１２ｅに起動命令を送出する（ステップＳ６）。また、メインマイコン１１は、デバイス１３ａに起動命令を送出する（ステップＳ７）。メインマイコン１１は、デバイス１３ｂに起動命令を送出する（ステップＳ８）。メインマイコン１１は、デバイス１３ｃに起動命令を送出する（ステップＳ９）。
【００２８】
サブマイコン１２ａは、起動が完了すると、メインマイコン１１に起動完了通知を送出する（ステップＳ１０）。サブマイコン１２ｂは、起動が完了すると、メインマイコン１１に起動完了通知を送出する（ステップＳ１１）。サブマイコン１２ｃは、起動が完了すると、メインマイコン１１に起動完了通知を送出する（ステップＳ１２）。サブマイコン１２ｄは、起動が完了すると、メインマイコン１１に起動完了通知を送出する（ステップＳ１３）。サブマイコン１２ｅは、起動が完了すると、メインマイコン１１に起動完了通知を送出する（ステップＳ１４）。また、デバイス１３ａは、起動が完了すると、メインマイコン１１に起動完了通知を送出する（ステップＳ１５）。デバイス１３ｂは、起動が完了すると、メインマイコン１１に起動完了通知を送出する（ステップＳ１６）。デバイス１３ｃは、起動が完了すると、メインマイコン１１に起動完了通知を送出する（ステップＳ１７）。その後、画像表示装置１は映像情報の取得処理を行う。
【００２９】
図５は、本発明の第１の実施形態に係る画像表示装置１における映像情報の取得処理を示すフローチャートである。
【００３０】
図５において、メインマイコン１１は、表示情報取得部３２から表示情報を取得し（ステップＳ５１）、表示画面数が「１」であるか否かを判定する（ステップＳ５２）。
【００３１】
ステップＳ５２において表示画面数が「１」と判定されたら（ステップＳ５２：Ｙｅｓ）、メインマイコン１１は、表示情報取得部３２の表示情報から、表示画面Ｇ１の入力コネクタ情報を取得する（ステップＳ５３）。入力コネクタ情報とは、表示画面Ｇ１がどのコネクタからの入力信号を表示するのかという情報である。そして、メインマイコン１１は、該信号入力コネクタ情報に対応するマイコンを選択し、選択されたマイコンと通信を行う（ステップＳ５４）。
【００３２】
ステップＳ５２において、表示画面数が「１」でなければ（ステップＳ５２：Ｎｏ）、メインマイコン１１は表示画面数が「２」であるか否かを判定する（ステップＳ５５）。
【００３３】
ステップＳ５５において表示画面数が「２」であると判定されたら（ステップＳ５５：Ｙｅｓ）、メインマイコン１１は、表示画面Ｇ１に表示する映像信号を入力する入力コネクタ情報を取得し（ステップＳ５６）、表示画面Ｇ２に表示する映像信号を入力する入力コネクタ情報を取得する（ステップＳ５７）。そして、メインマイコン１１は、表示画面Ｇ１の入力コネクタ情報と、表示画面Ｇ２の入力コネクタ情報とが等しいか否かを判定する（ステップＳ５８）。
【００３４】
表示画面Ｇ１の入力コネクタ情報と、表示画面Ｇ２の入力コネクタ情報とが等しいと判定されたら（ステップＳ５８：Ｙｅｓ）、メインマイコン１１は、処理をステップＳ５４に移す。そして、メインマイコン１１は、表示情報取得部３２の表示情報から、表示画面Ｇ１の入力コネクタ情報に対応するマイコンを選択し、選択されたマイコンと通信を行う（ステップＳ５４）。
【００３５】
ステップＳ５５において、表示画面数が「２」でないと判定されたら（ステップＳ５５：Ｎｏ）、メインマイコン１１は表示画面数が「３」であるか否かを判定する（ステップＳ５９）。
【００３６】
ステップＳ５９において表示画面数が「３」であると判定されたら（ステップＳ５９：Ｙｅｓ）、メインマイコン１１は、表示画面Ｇ１に表示する映像信号を入力する入力コネクタ情報を取得する（ステップＳ６０）。メインマイコン１１は、表示画面Ｇ２に表示する映像信号を入力する入力コネクタ情報を取得する（ステップＳ６１）。メインマイコン１１は、表示画面Ｇ３に表示する映像信号を入力する入力コネクタ情報を取得する（ステップＳ６２）。そして、メインマイコン１１は、表示画面Ｇ１の入力コネクタ情報と、表示画面Ｇ２の入力コネクタ情報と、表示画面Ｇ３の入力コネクタ情報とが全て等しいか否かを判定する（ステップＳ６３）。
【００３７】
表示画面Ｇ１の入力コネクタ情報と、表示画面Ｇ２の入力コネクタ情報と、表示画面Ｇ３の入力コネクタ情報とが全て等しいと判定されたら（ステップＳ６３：Ｙｅｓ）、メインマイコン１１は、処理をステップＳ５４に移す。そして、メインマイコン１１は、表示情報取得部３２の表示情報から、表示画面Ｇ１の入力コネクタ情報に対応するマイコンを選択し、選択されたマイコンと通信を行う（ステップＳ５４）。
【００３８】
ステップＳ５９において、表示画面数が「３」でないと判定されたら（ステップＳ５９：Ｎｏ）、メインマイコン１１は表示画面数が「４」であるか否かを判定する（ステップＳ６４）。
【００３９】
ステップＳ６４において表示画面数が「４」であると判定されたら（ステップＳ６４：Ｙｅｓ）、メインマイコン１１は、表示画面Ｇ１に表示する映像信号を入力する入力コネクタ情報を取得する（ステップＳ６５）。メインマイコン１１は、表示画面Ｇ２に表示する映像信号を入力する入力コネクタ情報を取得する（ステップＳ６６）。メインマイコン１１は、表示画面Ｇ３に表示する映像信号を入力する入力コネクタ情報を取得する（ステップＳ６７）。メインマイコン１１は、表示画面Ｇ４に表示する映像信号を入力する入力コネクタ情報を取得する（ステップＳ６８）。そして、メインマイコン１１は、表示画面Ｇ１の入力コネクタ情報と、表示画面Ｇ２の入力コネクタ情報と、表示画面Ｇ３の入力コネクタ情報と、表示画面Ｇ４の入力コネクタ情報とが全て等しいか否かを判定する（ステップＳ６９）。
【００４０】
表示画面Ｇ１の入力コネクタ情報と、表示画面Ｇ２の入力コネクタ情報と、表示画面Ｇ３の入力コネクタ情報と、表示画面Ｇ４の入力コネクタ情報とが全て等しいと判定されたら（ステップＳ６９：Ｙｅｓ）、メインマイコン１１は、処理をステップＳ５４に移す。そして、メインマイコン１１は、表示情報取得部３２の表示情報から、表示画面Ｇ１の入力コネクタ情報に対応するマイコンを選択し、選択されたマイコンと通信を行う（ステップＳ５４）。
【００４１】
なお、ステップＳ５８、ステップＳ６３、ステップＳ６９で、入力コネクタ情報が等しくないときには、メインマイコン１１は、各コネクタに対応する映像入力のマイコンと通信を行う（ステップＳ７０）。
【００４２】
図６は、図５におけるステップＳ５４でのマイコン通信処理を示すシーケンス図である。
【００４３】
図６において、メインマイコン１１は、第１回目の信号有／無情報取得通知をサブマイコン１２ａに通知する（ステップＳ１０１）。ここで、信号有／無情報取得通知（信号有無情報取得通知）とは、映像信号が信号入力コネクタに入力されているか否かを、メインマイコンに通知させるサブマイコンに対する命令である。
サブマイコン１２ａは第１回目の信号有／無情報取得通知を受信すると、信号有情報をメインマイコンに返信する（ステップＳ１０２）。メインマイコン１１は第２回目の信号有／無情報取得通知をサブマイコン１２ａに通知する（ステップＳ１０３）。サブマイコン１２ａは第２回目の信号有／無情報取得通知を受信すると、信号有情報をメインマイコンに返信する（ステップＳ１０４）。メインマイコン１１は第３回目の信号有／無情報取得通知をサブマイコン１２ａに通知する（ステップＳ１０５）。サブマイコン１２ａは第３回目の信号有／無情報取得通知を受信すると、信号有情報をメインマイコンに返信する（ステップＳ１０６）。
【００４４】
メインマイコン１１は、３回連続して信号有情報をサブマイコン１２ａから取得したことにより、サブマイコン１２ａからの信号有りを確定する。そして、メインマイコン１１は、第１回目の信号タイミング取得要求をサブマイコン１２ａに通知する（ステップＳ１０７）。サブマイコン１２ａは第１回目の信号タイミング取得要求を受信すると、映像信号のタイミング情報をメインマイコンに返信する（ステップＳ１０８）。メインマイコン１１は、第２回目の信号タイミング取得要求をサブマイコン１２ａに通知する（ステップＳ１０９）。サブマイコン１２ａは第２回目の信号タイミング取得要求を受信すると、映像信号のタイミング情報をメインマイコン１１に返信する（ステップＳ１１０）。そして、その映像信号のタイミング情報は画面情報保持エリア３１ａに記録される。
【００４５】
図７は、本発明の第１の実施形態に係る画像表示装置１における映像表示処理のフローチャートである。
【００４６】
メインマイコン１１は、表示画面が「１」か否かを判定する（ステップＳ１５１）。表示画面が「１」なら（ステップＳ１５１：Ｙｅｓ）、メインマイコン１１は、１つの画面情報保持エリア３１ａに保持されている映像信号のタイミング情報に基づいて、表示部１４の全面に、表示画面Ｇ１を表示する（ステップＳ１５２）。
【００４７】
表示画面が「１」でなければ（ステップＳ１５１：Ｎｏ）、メインマイコン１１は、表示する画面が同一か否かを判定する（ステップＳ１５３）。表示する画面が同一なら（ステップＳ１５３：Ｙｅｓ）、メインマイコン１１は、１つの画面情報保持エリア３１ａ（第１の画面情報保持エリア）に保持（保存）されている映像信号のタイミング情報を他の画面情報保持エリア３１ｂ〜３１ｄ（他の表示画面に対応する画面情報保持エリア）にコピーする（ステップＳ１５４）。そして、メインマイコン１１は、画面情報保持エリア３１ａ〜３１ｄに保持されている映像信号のタイミング情報に基づいて、表示部１４の表示画面Ｇ１〜Ｇ４に、画像を表示する（ステップＳ１５５）。表示する画面が同一でなければ（ステップＳ１５３：Ｎｏ）、メインマイコン１１は、画面情報保持エリア３１ａ〜３１ｄに保持されている映像信号のタイミング情報に基づいて、表示部１４の表示画面Ｇ１〜Ｇ４に、画像を表示する（ステップＳ１５５）。
【００４８】
図１に示したように、本発明の第１の実施形態に係る画像表示装置１では、５つのサブマイコン１２ａ〜１２ｅと、３つのデバイス１３ａ〜１３ｃが備えられている。このような構成では、全てのサブマイコン１２ａ〜１２ｅ及びデバイス１３ａ〜１３ｃから映像信号のタイミング情報を得る場合には、ステップＳ１からステップＳ１７までの多数の処理ステップが必要になるので時間がかかる。特に、サブマイコン１２ａ〜１２ｅの中に時間を要するものがあった場合には、全てのサブマイコン１２ａ〜１２ｅからの情報を待って画像表示処理を行うと、立ち上がり時間が非常に長くなってしまい問題である。
【００４９】
そこで、本発明の第１の実施形態では、図５に示したように、メインマイコン１１は、表示情報を取得して映像入力を選択し、選択した映像信号の受信処理に係るサブマイコンから映像信号のタイミング情報を得るようにしている。このため、マイコン間の通信量を削減し、画像表示装置の起動から画表示までの時間を短縮することができる。
【００５０】
また、本発明の第１の実施形態では、図５に示したように、メインマイコン１１は、表示画像が複数あった場合には、表示画面の入力コネクタ情報が等しいかどうかを判定し、表示画面の入力コネクタ情報が等しければ、そのうちの１つの映像信号の受信処理に係るサブマイコンと通信を行うようにしている。そして、図７に示したように、１つの画面情報保持エリア３１ａの情報を他の画面情報保持エリア３１ｂ〜３１ｄにコピーするようにしている。これにより、システム全体の処理に掛かる負荷を低減し、システム全体の高速化につなげることができる。このことについて、以下に説明する。
【００５１】
まず、画面数が「１」のときの表示処理の具体例について説明する。ここで、信号入力コネクタ２１ａからの映像信号を表示部１４の全面に表示させるものとする。また、信号入力コネクタ２１ａと、信号入力コネクタ２１ｆと、信号入力コネクタ２１ｇと、信号入力コネクタ２１ｊとに映像入力の接続があるとする。この場合、表示情報取得部３２には、図８Ａ，Ｂに示すような表示情報が保持される。
【００５２】
図８Ａに示すように、表示画面数は「１」であり、表示画面Ｇ１に表示する映像信号を入力するコネクタは信号入力コネクタ２１ａからの映像信号である。また、図８Ｂに示したように、信号入力コネクタ２１ａの受信処理に対応するマイコンはサブマイコン１２ａであり、信号入力コネクタ２１ｆの受信処理に対応するマイコンはサブマイコン１２ｂであり、信号入力コネクタ２１ｇの受信処理に対応するマイコンはサブマイコン１２ｃであり、信号入力コネクタ２１ｊの受信処理に対応するマイコンはサブマイコン１２ｄである。
【００５３】
図５に示したように、映像取得処理では、メインマイコン１１は、まず、表示画面数を判定する。この例では、表示画面数が「１」であるので、メインマイコン１１は、図８Ａに示す情報から、表示画面Ｇ１の入力コネクタの情報を取得し、図８Ｂに示す情報から、その信号入力コネクタと対応するサブマイコンを選択し、そのサブマイコンと通信を行う。ここでは、図８Ａに示す情報から、表示画面Ｇ１の映像信号の入力コネクタは信号入力コネクタ２１ａであると判定され、図８Ｂに示す情報から、その信号入力コネクタ２１ａと対応するサブマイコンはサブマイコン１２ａであると判定される。このため、メインマイコン１１は、サブマイコン１２ａと通信を行い映像信号のタイミング情報を得る。他のサブマイコンからは映像信号のタイミング情報を取得しない。
【００５４】
よって、起動から画表示までの時間を短縮できる。また、メインマイコン１１とサブマイコン１２ａとの通信処理は、図６で示したステップＳ１０１〜ステップＳ１１０までの１０ステップの処理となる。
【００５５】
これに対して、メインマイコン１１が映像処理に係る４つのサブマイコン１２ａ〜１２ｄの全てのサブマイコンと通信を行うと、このステップＳ１０１〜ステップＳ１１０までの処理が４回繰り返されることになり、メインマイコン１１とサブマイコン１２ａとの通信処理は４０ステップとなる。このため、単位時間当たりの通信回数が増大し、システム全体の処理時間が増加することになる。
【００５６】
このように、本実施形態では、定周期での通信時間を（１／Ｎ）（Ｎ＝全画面数、この例では「４」）に減らすことが可能になり、電源オンしてから起動処理が完了するまでの時間を短縮し、単位時間当たりの通信回数を低減して、システム全体の処理時間を短縮できる。また、各マイコンやデバイス通信の処理を削減することで、省電力化を図ることができる。
【００５７】
図９は、このときのメインマイコン１１の処理の説明図である。図９に示すように、メインマイコン１１は、サブマイコン１２ａと通信を行う。サブマイコン１２ａは、信号入力コネクタ２１ａの受信処理を行っており、信号入力コネクタ２１ａからの映像信号のタイミング情報Ｖ１をメインマイコン１１に送出する。メインマイコン１１は、信号入力コネクタ２１ａからの映像信号のタイミング情報Ｖ１を画面情報保持エリア３１ａに取得し、信号入力コネクタ２１ａからの映像信号に対応する画像を表示部１４に全面表示する。
【００５８】
次に、本発明の第１の実施形態に係る画像表示装置１での表示処理の他の例として、表示画面数が「４」で、表示する画面の信号入力コネクタが同一のときの表示処理の具体例について説明する。ここで、信号入力コネクタ２１ａからの映像信号を４分割して、ＰｉｎＰで表示部１４に表示させるものとする。また、信号入力コネクタ２１ａと、信号入力コネクタ２１ｆと、信号入力コネクタ２１ｇと、信号入力コネクタ２１ｊとに映像入力の接続があるとする。そして、表示情報取得部３２には、図１０Ａ，Ｂに示したような表示情報が保持されているとする。
【００５９】
図１０Ａに示すように、この例では、表示画面数は「４」であり、表示画面Ｇ１〜表示画面Ｇ４に表示する映像信号を入力するコネクタは、全て、信号入力コネクタ２１ａである。また、図１０Ｂに示すように、信号入力コネクタ２１ａの受信処理に対応するマイコンはサブマイコン１２ａであり、信号入力コネクタ２１ｆの受信処理に対応するマイコンはサブマイコン１２ｂであり、信号入力コネクタ２１ｇの受信処理に対応するマイコンはサブマイコン１２ｃであり、信号入力コネクタ２１ｊの受信処理に対応するマイコンはサブマイコン１２ｄである。
【００６０】
メインマイコン１１は、まず、表示画面数を判定する。この例では、表示画面数が「４」であるので、メインマイコン１１は、図１０Ａに示す情報から、表示画面Ｇ１の入力コネクタの情報と、表示画面Ｇ２の入力コネクタの情報と、表示画面Ｇ３の入力コネクタの情報と、表示画面Ｇ４の入力コネクタの情報とを取得する。そして、これら表示画面Ｇ１の入力コネクタの情報と、表示画面Ｇ２の入力コネクタの情報と、表示画面Ｇ３の入力コネクタの情報と、表示画面Ｇ４の入力コネクタの情報とが同じなら、メインマイコン１１は、図１０Ｂに示す情報から、信号表示画面Ｇ１を表示する信号入力コネクタと対応するサブマイコンを選択し、そのサブマイコンと通信を行う。ここでは、図１０Ａに示す情報から、表示画面Ｇ１〜Ｇ４に表示する信号入力コネクタは全て信号入力コネクタ２１ａで同一であると判定され、図１０Ｂに示す情報から、その信号入力コネクタ２１ａと対応するサブマイコンはサブマイコン１２ａであると判定される。このため、メインマイコン１１は、サブマイコン１２ａと通信を行い、映像信号のタイミング情報を得る。
【００６１】
よって、起動から画表示までの時間を短縮できる。また、メインマイコン１１とサブマイコン１２ａとの通信処理は、図６で示したステップＳ１０１〜ステップＳ１１０までの処理となる。
【００６２】
図１１は、このときのメインマイコン１１の処理の説明図である。図１１に示すように、メインマイコン１１は、サブマイコン１２ａと通信を行う。サブマイコン１２ａは、信号入力コネクタ２１ａの受信処理を行っており、信号入力コネクタ２１ａからの映像信号のタイミング情報Ｖ１をメインマイコン１１に送出する。メインマイコン１１は、信号入力コネクタ２１ａからの映像信号のタイミング情報Ｖ１を画面情報保持エリア３１ａに取得する。そして、メインマイコン１１は、図７で説明したように、画面情報保持エリア３１ａ（第１の画面情報保持エリア）に記憶した信号入力コネクタ２１ａからの映像信号のタイミング情報Ｖ１を、画面情報保持エリア３１ｂ、３１ｃ、３１ｄ（他の表示画面に対応する画面情報保持エリア）にコピーする。そして、メインマイコン１１は、画面情報保持エリア３１ｂ、３１ｃ、３１ｄの映像信号のタイミング情報Ｖ１に対応する画像を、表示部１４の表示画面Ｇ１、Ｇ２、Ｇ３、Ｇ４に表示する。
【００６３】
このように、本発明の第１の実施形態では、メインマイコン１１は、表示する映像信号が複数あった場合には、表示画面の入力コネクタ情報が等しいかどうかを判定し、表示画面の入力コネクタ情報が等しければ、そのうちの１つの映像信号の受信処理に係るサブマイコンからのみ映像信号のタイミング情報を得ることで、システム全体の処理に掛かる負荷を低減し、システム全体の高速化につなげることができる。
【００６４】
図１２は、本発明による画像表示装置の基本構成を示す概略ブロック図である。本発明による画像表示装置２０１の基本構成は、図１２に示すとおりである。すなわち、本発明による画像表示装置２０１は、複数の信号入力コネクタ２２１ａ〜２２１ｊ（信号入力部）と、複数の信号入力コネクタ２２１ａ〜２２１ｊからの映像信号の処理を行う複数のサブマイコン２１２ａ〜２１２ｄ（副制御部）と、表示部に表示する表示画面を生成するメインマイコン２１１（制御部）とを備える。メインマイコン２１１は、予め有していた表示情報に基づきサブマイコンから映像信号のタイミング情報を得る。
【００６５】
以上、本発明の実施形態について図面を参照して詳述してきたが、具体的な構成はこの実施形態に限られるものではなく、この発明の要旨を逸脱しない範囲の設計変更等も含まれる。
【符号の説明】
【００６６】
１    画像表示装置
１１    メインマイコン
１２ａ〜１２ｅ    サブマイコン
１３ａ〜１３ｃ    デバイス
１４    表示部
２１ａ〜２１ｊ    信号入力コネクタ
２２ａ，２２ｂ    外部通信コネクタ
【図１】
0006725119.tif 000002
【図２Ａ】
0006725119.tif 000003
【図２Ｂ】
0006725119.tif 000004
【図２Ｃ】
0006725119.tif 000005
【図２Ｄ】
0006725119.tif 000006
【図３】
0006725119.tif 000007
【図４】
0006725119.tif 000008
【図５】
0006725119.tif 000009
【図６】
0006725119.tif 000010
【図７】
0006725119.tif 000011
【図８Ａ】
0006725119.tif 000012
【図８Ｂ】
0006725119.tif 000013
【図９】
0006725119.tif 000014
【図１０Ａ】
0006725119.tif 000015
【図１０Ｂ】
0006725119.tif 000016
【図１１】
0006725119.tif 000017
【図１２】
0006725119.tif 000018
【図１３】
0006725119.tif 000019